(57)【要約】【課題】相手方電話機がインターネットに接続していない時には公衆電話交換網を利用して通話できるようにしたＶｏＩＰ電話システムを提供する。【解決手段】接続情報登録手段（１００）　にはインターネットプロトコルによる電話機（３０）の接続情報を公衆電話回線網（５０）による電話番号情報に対応して登録し、相手方電話機の電話番号情報を登録判別手段（１１０，２００）　で受けて登録されているか否かを判別する。登録されている時には相手方電話機の接続情報を、非登録時には非登録情報を応答手段（１２０）　から出力し、電話機の接続情報を受けた時は通話制御手段（２１０）　によって接続情報と電話機からの音声データとからＩＰパケットを生成してインターネットに出力し、非登録情報を受けた時には電話機を公衆電話回線網に接続する。【選択図】　図３
2004056775.tif 000002
【特許請求の範囲】
【請求項１】
少なくとも２つの電話機の間でインターネットを介して音声データを送受して通話できる一方、システム外の電話機との間では公衆電話回線網を介して通話できるようにしたＶｏＩＰ電話システムであって、
音声データを含むデータをインターネットプロトコルに従って送信するための電話機の接続情報を公衆電話回線網による電話番号情報に対応して登録する接続情報登録手段と、
電話機から公衆電話回線網に向けて送信される相手方電話機の電話番号情報を受け、該相手方電話機の電話番号情報が登録されているか否かを判別する登録判別手段と、
上記相手方電話機の電話番号情報が登録されている時には上記電話番号情報に対応する電話機の接続情報を上記接続情報登録手段から読み出して出力し、非登録時には非登録情報を出力する応答手段と、
該応答手段から上記電話機の接続情報を受けた時は該接続情報と上記電話機からの音声データとからＩＰパケットを生成してインターネットに出力する一方、上記応答手段から非登録の応答を受けた時には上記電話機を公衆電話回線網に切替え接続して相手方電話機との間で通話を行わせる通話制御手段と、
を備えたことを特徴とするＶｏＩＰ電話システム。
【請求項２】
上記インターネットに接続されたシステムサーバ、及び上記インターネットに接続されるとともに上記公衆電話回線網に接続可能に構成された通話制御装置を含み、
上記接続情報登録手段、登録判別手段の一部及び応答手段が上記システムサーバに設けられ、上記登録判別手段の残部及び通話制御手段が上記通話制御装置に設けられている請求項１記載のＶｏＩＰ電話システム。
【請求項３】
上記電話機の接続情報にはインターネットプロトコルにおける機器アドレスが含まれている請求項１又は２記載のＶｏＩＰ電話システム。
【請求項４】
上記接続情報登録手段には上記通話制御手段の状況を示すステータス情報が更に登録され、上記通話制御手段の状況を検知して上記接続情報を更新するステータス更新手段を更に備え、
相手方電話機の通話制御手段がインターネットを介して音声データを送受できない状況にある時には上記応答手段が上記非登録情報を出力するようになした請求項１ないし３のいずれかに記載のＶｏＩＰ電話システム。
【請求項５】
上記通話制御手段は自己がインターネットを介して音声データを送受できない状況にある時には電話機を公衆電話回線網に接続するようになした請求項１ないし４のいずれかに記載のＶｏＩＰ電話システム。
【請求項６】
インターネットに接続されたシステムサーバ、及びインターネットに接続されるとともに公衆電話回線網に接続可能に構成された通話制御装置を含んで構成され、少なくとも２つの電話機の間でインターネットを介して音声データを送受して通話できる一方、システム外の電話機との間では公衆電話回線網を介して通話できるようにしたＶｏＩＰ電話システムにおけるシステムサーバであって、
音声データを含むデータをインターネットプロトコルに従って送信するための電話機の接続情報を公衆電話回線網による電話番号情報に対応して登録する接続情報登録手段と、
電話機から公衆電話回線網に向けて送信される相手方電話機の電話番号情報を受け、該相手方電話機の電話番号情報が登録されているか否かを判別する登録判別手段と、
上記相手方電話機の電話番号情報が登録されている時には上記電話番号情報に対応する電話機の接続情報を上記接続情報登録手段から読み出して出力し、非登録時には非登録情報を出力する応答手段と、
を備えたことを特徴とするＶｏＩＰ電話システムのシステムサーバ。
【請求項７】
インターネットに接続されたシステムサーバ、及びインターネットに接続されるとともに公衆電話回線網に接続可能に構成された通話制御装置を含んで構成され、少なくとも２つの電話機の間でインターネットを介して音声データを送受して通話できる一方、システム外電話機との間では公衆電話回線網を介して通話できるようにしたＶｏＩＰ電話システムにおける通話制御装置であって、
電話機から公衆電話回線網に向けて送信される相手方電話機の電話番号情報を受けてシステムサーバに送信し、システムサーバから相手方電話機の接続情報を受けた時は該接続情報と電話機からの音声データとからＩＰパケットを生成してインターネットに出力する一方、上記システムサーバからの非登録情報を受けた時には電話機を公衆電話回線網に切替え接続して相手方電話機との間で通話を行わせる通話制御手段、を備えたことを特徴とするＶｏＩＰ電話システムの通話制御装置。
【発明の詳細な説明】
【０００１】
【発明の属する技術分野】
本発明はＶｏＩＰ電話システムに関し、特に相手方電話機がインターネットに接続していない時には自動的に公衆電話交換網を利用して通話することができるようにしたシステムに関する。
【０００２】
【従来の技術】
最近の電子通信技術の進歩に伴い、インターネットが飛躍的に普及し、家庭や企業の端末や携帯端末からでもインターネットに簡単に接続することができるようになってきた。
【０００３】
そして、上述のインターネットのＩＰ（Ｉｎｔｅｒｎｅｔ　Ｐｒｏｔｏｃｏｌ）　を利用して音声とデータを統合するＶｏＩＰ（Ｖｏｉｃｅ　ｏｖｅｒ　ＩＰ）技術が注目され、ＶｏＩＰ電話システム、いわゆるインターネット電話システムが研究され、実用化されている。
【０００４】
【発明が解決しようとする課題】
しかし、従来のＶｏＩＰ電話システムでは相手方の電話機がインターネットに接続していない時には通話ができず、電話機をインターネットに常時接続しておく必要があり、常時接続環境にない場合には利用できない。
【０００５】
また、従来のＶｏＩＰ電話システムでは公衆電話交換網（Ｐｕｂｌｉｃ　Ｓｗｉｔｃｈｅｄ　Ｔｅｌｅｐｈｏｎｅ　Ｎｅｔｗｏｒｋ）を利用する一般の電話機を相手に通話することができず、これらがＶｏＩＰ電話システムの普及を妨げる原因となっていた。
【０００６】
本発明はかかる問題点に鑑み、相手方電話機がインターネットに接続していない時には公衆電話交換網を利用して通話することができるようにしたＶｏＩＰ電話システムを提供することを課題とする。
【０００７】
【課題を解決するための手段】
そこで、本発明に係るＶｏＩＰ電話システムは、少なくとも２つの電話機の間でインターネットを介して音声データを送受して通話できる一方、システム外電話機との間では公衆電話回線網を介して通話できるようにしたＶｏＩＰ電話システムであって、音声データを含むデータをインターネットプロトコルに従って送信するための電話機の接続情報を公衆電話回線網による電話番号情報に対応して登録する接続情報登録手段と、電話機から公衆電話回線網に向けて送信される相手方電話機の電話番号情報を受け、該相手方電話機の電話番号情報が登録されているか否かを判別する登録判別手段と、上記相手方電話機の電話番号情報が登録されている時には上記電話番号情報に対応する電話機の接続情報を上記接続情報登録手段から読み出して出力し、非登録時には非登録情報を出力する応答手段と、該応答手段から上記電話機の接続情報を受けた時は該接続情報と上記電話機からの音声データとからＩＰパケットを生成してインターネットに出力する一方、上記応答手段から非登録の応答を受けた時には上記電話機を公衆電話回線網に切替え接続して相手方電話機との間で通話を行わせる通話制御手段と、を備えたことを特徴とする。
【０００８】
本発明の特徴の１つはＶｏＩＰ電話システムを利用しえる電話機のインターネット上の接続情報を公衆電話回線網（携帯電話やＰＨＳ電話の回線網を含む）における電話番号情報に対応して登録しておき、相手方電話機の電話番号がコールされた時には相手方電話機が登録されているか否かを判別し、登録されている時には接続情報と音声データとからＩＰパケットを生成してインターネットに出力し、登録されていない時には電話機を公衆電話回線網に切替え接続するようにした点にある。
【０００９】
これにより、常時接続環境にある相手方に対してはインターネットによって通話できる一方、常時接続環境にない相手方に対しては公衆電話回線網によって通話でき、しかもそのインターネットと公衆回線網との接続の切替えを自動的に行うことができる結果、ＶｏＩＰ電話システムの飛躍的な普及を期待できる。
【００１０】
本発明に係るＶｏＩＰ電話システムを確実に構築し、安全に運用する上で、上述の各機能手段をシステムサーバと通話制御装置として実現するのがよい。即ち、インターネットに接続されたシステムサーバ、及びインターネットに接続されるとともに公衆電話回線網に接続可能に構成された通話制御装置を含み、接続情報登録手段、登録判別手段の一部及び応答手段がシステムサーバに設けられ、登録判別手段の残部及び通話制御手段が通話制御装置に設けられているのが好ましい。
【００１１】
ところで、音声データの形式は国によって異なることがあるが、公衆電話回線網の場合には公衆電話回線網内において音声データの形式が変換されるので通話障害の問題はない。他方、本発明のＶｏＩＰ電話システムの場合、ＩＰパケットはインターネットから各国のトランキングゲートウェイを経てその国の公衆電話回線網に入るので、通話障害の問題は発生しない。
【００１２】
相手方電話機がインターネット上のどの階層に属するか等の状況によってはグローバルＩＰアドレスだけではなく、ローカルＩＰアドレスを必要とする場合もある。このローカルＩＰアドレスは動的に変動することがあり、かかる場合には確実な通話が難しいこともある。他方、インターネットに接続されるルータ（ターミナルアダプタを含む）等の機器には各機器固有のアドレス（機器アドレス；Ｍｅｄｉａ　Ａｃｃｅｓｓ　Ｃｏｎｔｒｏｌ　アドレス）　が付与されているので、電話機の接続情報に機器アドレスを含ませ、機器アドレスによって安全確実な接続を確立するようにするのがよい。
【００１３】
さらに、最近ではインターネット上で３人以上が会話（いわゆるチャット）を行うことのできるアプリケーションソフトが実用化されているが、本発明に係るＶｏＩＰ電話システムでは既設のインターネットをそのまま利用するので、上述のチャットも利用することができる。
【００１４】
また、相手方電話機の通話制御装置に停電や故障が発生した場合や相手方電話機がＶｏＩＰ電話システムによる通話中の場合などにはインターネットを経た接続が確立できない。そこで、接続情報登録手段には通話制御手段の状況を示すステータス情報を登録し、通話制御手段の状況を検知して接続情報を更新するステータス更新手段を更に備え、相手方電話機の通話制御手段がインターネットを介して音声データを送受できない状況にある時には応答手段が非登録情報を出力するように構成するのがよい。
【００１５】
これにより、相手方電話機に対する接続は公衆電話回線網による接続に自動的に切替えられ、公衆電話回線網による通話を確立できることとなる。ステータス情報の検知及び更新は適切な時間間隔、例えば１００秒毎に行うようにするのがよい。
【００１６】
また、電話をかける側に停電が発生した場合にはその通話制御装置が正常に動作せず、インターネットによる接続を確立できない。そこで、通話制御手段は自己がインターネットを介して音声データを送受できない状況にある時には電話機を公衆電話回線網に自動的に切替え接続するように構成するのがよい。
【００１７】
情報登録手段、したがってシステムサーバは１つでもよいが、複数のシステムサーバを設けると、各サーバの負荷を軽減できる。しかし、通話制御装置から問い合わせがあった時に複数のシステムサーバに電話番号情報の登録の問い合わせを行うようすると、外国に電話する場合に応答の遅れが懸念される。
【００１８】
しかし、外国電話をかける場合には相手方電話番号の前に国番号をつけるのが一般的であり、国番号によって問い合わせを行うシステムサーバをある程度特定できるので、迅速な応答を確保できる。
【００１９】
また、上述のシステムサーバ及び通話制御装置も斬新である。即ち、本発明によれば、インターネットに接続されたシステムサーバ、及びインターネットに接続されるとともに公衆電話回線網に接続可能に構成された通話制御装置を含んで構成され、少なくとも２つの電話機の間でインターネットを介して音声データを送受して通話できる一方、システム外の電話機との間では公衆電話回線網を介して通話できるようにしたＶｏＩＰ電話システムにおけるシステムサーバであって、音声データを含むデータをインターネットプロトコルに従って送信するための電話機の接続情報を公衆電話回線網による電話番号情報に対応して登録する接続情報登録手段と、電話機から公衆電話回線網に向けて送信される相手方電話機の電話番号情報を受け、該相手方電話機の電話番号情報が登録されているか否かを判別する登録判別手段と、上記相手方電話機の電話番号情報が登録されている時には上記電話番号情報に対応する電話機の接続情報を上記接続情報登録手段から読み出して出力し、非登録時には非登録情報を出力する応答手段と、を備えたことを特徴とするＶｏＩＰ電話システムのシステムサーバを提供できる。
【００２０】
また、本発明によれば、インターネットに接続されたシステムサーバ、及びインターネットに接続されるとともに公衆電話回線網に接続可能に構成された通話制御装置を含んで構成され、少なくとも２つの電話機の間でインターネットを介して音声データを送受して通話できる一方、システム外電話機との間では公衆電話回線網を介して通話できるようにしたＶｏＩＰ電話システムにおける通話制御装置であって、電話機から公衆電話回線網に向けて送信される相手方電話機の電話番号情報を受けてシステムサーバに送信し、システムサーバから相手方電話機の接続情報を受けた時は該接続情報と電話機からの音声データとからＩＰパケットを生成してインターネットに出力する一方、上記システムサーバからの非登録情報を受けた時には電話機を公衆電話回線網に切替え接続して相手方電話機との間で通話を行わせる通話制御手段、を備えたことを特徴とするＶｏＩＰ電話システムの通話制御装置を提供することができる。
【００２１】
【発明の実施の形態】
以下、本発明を図面に示す具体例に基づいて説明する。図１ないし図５は本発明に係るＶｏＩＰ電話システムの好ましい実施形態を示す。本例のシステムは図１に示されるように、ゲートキーパ（システムサーバ）１０、システムフォン（通話制御装置）２０、電話機３０、インターネット４０、公衆電話回線網５０、各種ルータ（ターミナルアダプタを含む）６０から構成されている。また、ルータ６０にはパーソナルコンピュータ６１、ファクシミリ装置６２、交換機（ＰＢＸ）６３が接続されることができる。
【００２２】
図２はゲートキーパ１０の基本的なハード構成の例を示す。図において、ゲートキーパ１０は基本的にはＣＰＵ１１、ＲＡＭ１２、ＨＤドライブ１４、及びＬＡＮボードやモデム等の通信装置１５から構成されている。
【００２３】
ＨＤドライブ１４によって駆動されるディスクにはゲートキーパ１０を駆動する各種プログラムが格納されるとともに、登録された電話機３０のインターネット上のグローバルＩＰアドレス及びローカルＩＰアドレス、接続情報が電話機の公衆回線網における電話番号情報に対応して登録され、上記接続情報には上記電話機３０が接続されているルータ５０やシステムフォン２０等の機器アドレス（ＭＡＣアドレス）及びステータス情報を含まれている。
【００２４】
ＣＰＵ１１はシステムフォン２０から送信されてきた相手方電話機３０の電話番号情報、電話をかけてきた電話機３０の電話番号情報、及びその電話機３０に接続されているシステムフォン２０の機器アドレス情報を受け、電話をかけたきた電話機３０の認証を行った後、相手方電話機３０が登録された電話機か否かを判別する。登録の判別はまずＨＤドライブ１４のディスク内に登録されている情報を検索し、電話番号情報と一致する登録情報がない場合には他のゲートキーパ、外国電話の場合には国番号によって特定される地域範囲に存在するゲートキーパに電話番号情報を送信して登録情報の検索を行わせる。
【００２５】
また、相手方電話機３０が登録された電話機である時にはＣＰＵ１１は電話番号情報に対応する接続情報を読み出し、問い合わせを行ったシステムフォン２０又は問い合わせをしてきた他のゲートキーパに出力する。また、ＣＰＵ１１は他のゲートキーパ又は外国のゲートキーパからの接続情報を問い合わせを行ったシステムフォン２０に出力する。
【００２６】
さらに、相手方電話機３０が登録された電話機でない時、相手方電話機３０が停電中でそのシステムフォン２０が正常に動作しないおそれがある時、あるいは相手方電話機３０がＶｏＩＰ電話システムによる通話中である時にはＣＰＵ１１はその旨を示す音声データ、例えば「一般電話へコールします」等の音声データを問い合わせを行ったシステムフォン２０に出力する。
【００２７】
図３はシステムフォン２０の基本的なハード構成の例を示す。図において、システムフォン２０は基本的にはＣＰＵ２１、ＲＡＭ２２、ＲＯＭ２３、及びＬＡＮボードやモデム等の通信装置２５から構成されている。
【００２８】
ＲＯＭ２３にはシステムフォン２０を駆動制御する各種プログラムが格納されている。
【００２９】
ＣＰＵ２１は自己に接続された電話機３０の受話器が上げられ（オンフックされ）、相手方電話機３０の電話番号情報を受けると、ゲートキーパ１０に接続し、電話をかける相手方電話機３０の電話番号情報、自己の機器アドレス情報及び電話をかけた電話機３０の電話番号情報をゲートキーパ１０に送信する。
【００３０】
また、ＣＰＵ２１はゲートキーパ１０から相手方電話機３０の接続情報が送信されてくると、相手方電話機３０との接続を確認した後、電話をかけてきた電話機３０の電話番号情報及び相手方電話機３０の電話番号情報、ゲートキーパ１０から受け取った接続情報及び当方の電話機３０からの音声データからＩＰパケットを生成してインターネット４０に送信する一方、相手方電話機３０のシステムフォン２０から送信されてきたＩＰパケットから音声データを抽出して自己に接続された電話機３０に送るようになっている。
【００３１】
さらに、ＣＰＵ２１はゲートキーパ１０から相手方電話機３０が登録されていない旨、相手方電話機３０がインターネット４０によって接続できない状況にある旨の音声データを受けると、自己に接続されている電話機３０を公衆電話回線網５０に切替え接続し、公衆電話回線網５０によって通話を確立させるようになっている。
【００３２】
また、ＣＰＵ２１は電話機３０からの電話番号情報の先頭に特定の情報、例えば「＊＊」の情報が付されていると、自己に接続されている電話機３０を公衆電話回線網５０に切替え接続し、公衆電話回線網５０によって通話を確立させるようになっている。
【００３３】
図４は本例のＶｏＩＰ電話システムにおける基本的な機能ブロックを示す。ゲートキーパ１０は機能的には接続情報登録手段１００、登録判別手段１１０、応答手段１２０、ステータス更新手段１３０から構成されている。
【００３４】
接続情報記憶手段１００はＨＤドライブ１４、その他の記憶装置によって実現される機能手段であって、登録された電話機のインターネットにおけるＩＰアドレス、及びその電話機３０に接続されているルータ５０等の機器アドレス（ＭＡＣアドレス）を含む接続情報が電話機の公衆回線網における電話番号情報に対応して登録されている。
【００３５】
登録判別手段１１０はＣＰＵ１１及び通信装置１５によって実現される機能手段であって、システムフォン２０から送信されてきた相手方電話機３０の電話番号情報、機器アドレス情報及び電話をかけてきた電話機３０の電話番号情報を受け、機器アドレス情報と電話番号情報とから電話をかけたきた電話機３０の認証を行った後、相手方電話機３０が登録された電話機が否かを判別するようになっている。
【００３６】
また、登録判別手段１１０は相手方電話機３０が登録された電話機である時には電話番号情報に対応する接続情報を読み出し、問い合わせを行ったシステムフォン２０に出力するようになっている。
【００３７】
さらに、登録判別手段１１０は相手方電話機３０が登録された電話機でない時には他のゲートキーパに相手方電話機３０の電話番号情報を送信して問い合わせを行ない、外国電話の場合には国番号によって特定される地域範囲のゲートキーパに電話番号情報を送信して問い合わせを行うようになっている。
【００３８】
また、登録判別手段１１０は相手方電話機３０が停電中である時、あるいは相手方電話機３０がＶｏＩＰ電話システムによる通話中である時にはその旨を示す音声データを問い合わせを行ったシステムフォン２０に出力するようになっている。
【００３９】
ステータス更新手段１３０はＣＰＵ１１及び通信装置１５によって実現される機能手段であって、自己が管理するシステムフォン２０に対して現在の状況を問い合わせ、その情報でもって接続情報内のステータス情報を更新するようになっいる。
【００４０】
システムフォン２０は機能的には登録判別手段２００及び通話制御手段２１０から構成されている。
【００４１】
登録判別手段２００はＣＰＵ２１及び通信装置２５によって実現される機能手段であって、自己に接続されている電話機３０がオンフックされ、相手方電話機３０の電話番号情報が送られてくると、電話をかける相手方電話機３０の電話番号情報、機器アドレス情報及び電話をかけた電話機３０の電話番号情報をゲートキーパ１０に送信するようになっている。
【００４２】
通話制御手段２１０はＣＰＵ２１及び通信装置２５によって実現される機能手段であって、ゲートキーパ１０から相手方電話機３０の接続情報が送信されてくると、相手方電話機３０との接続を確認した後、当方及び相手方の機器アドレスと電話番号情報、受信した接続情報、及び自己に接続されている電話機３０からの音声データからＩＰパケットを生成してインターネット４０に送信する一方、相手方電話機３０のシステムフォン２０から送られてきたＩＰパケットを受けるとそのＩＰパケットから音声データを抽出し、自己に接続されている電話機３０に送信するようになっている。
【００４３】
さらに、通話制御手段２１０はゲートキーパ１０から相手方電話機３０が登録されていない旨、相手方電話機３０がインターネット４０によって接続できない状況にある旨の音声データを受けると、自己に接続されている電話機３０を公衆電話回線網５０に接続し、公衆電話回線網５０によって通話を確立させるようになっている。
【００４４】
また、通話制御手段２１０は電話機３０からの電話番号情報の先頭に特定の情報、例えば「＊＊」の情報が付されていると、自己に接続されている電話機３０を公衆電話回線網５０に切替え接続するようになっている。
【００４５】
次に、図５を用いてＶｏＩＰ電話システムの概略動作について説明する。図５は本例のシステムにおける制御処理の概念図を示す。今、システムフォン２０に接続されている電話機３０をオンフックし（ステップＳ２００）、電話番号をプッシュ（又はダイヤリング）すると、電話番号情報がシステムフォン２０に与えられる。本例のシステムではＶｏＩＰ電話ではなく、直接一般電話をかける場合には電話番号をプッシュ（又はダイヤリング）前に、電話機３０の「＊」のボタンを２回プッシュする。
【００４６】
すると、システムフォン２０は電話番号情報中の「＊＊」の有無から直接一般電話をかけているか否かを判別する（ステップＳ２１０）。ＶｏＩＰ電話の場合にはゲートキーパ１０に接続し、入力された電話番号情報、当方の機器アドレス、電話をかけてきた電話機３０の電話番号情報を送信する（ステップＳ２２０、Ｓ２３０）。
【００４７】
ゲートキーパ１０はシステムフォン２０の機器アドレス及び電話機３０の電話番号情報から認証を行った後、相手方電話機３０の電話番号情報から相手方電話機３０が登録された電話機か否かを判別し（ステップＳ１１０）、判別結果に応じた応答をシステムフォン２０に出力する（ステップＳ１２０〜Ｓ１４０）。
【００４８】
システムフォン２０は相手方電話機３０の接続情報を受けると、相手方電話機３０の接続情報でもって相手方電話機３０との接続を行った後、自己に接続されている電話機３０からの音声データとゲートキーパ１０からの接続情報とからＩＰパケットを順次生成し、インターネット４０に送信する一方、相手方電話機３０のシステムフォン２０からのＩＰパケットを受けるとＩＰパケットから音声データを抽出し、自己に接続されている電話機３０に与える（ステップＳ２４０〜Ｓ２６０）。
【００４９】
他方、システムフォン２０がゲートキーパ１０から相手方が登録されていない電話機である旨の音声データ、あるいはインターネット４０によって接続を確立できない旨の音声データを受けると、その音声データを自己に接続されている電話機３０に送信するとともに、その電話機３０を公衆電話回線網５０に切替え接続し、電話番号をコールする（ステップＳ２７０、Ｓ２８０）。これによって、一般の電話による通話を行うことができる（ステップＳ２９０）。
【００５０】
通話が終了すると、電話機３０で電話をかけた人は相手方電話機３０又は相手方電話機３０のシステムフォン２０からのオフフック信号によって通話が終了したことを確認することができる。
【００５１】
他方、システムフォン２０に「＊＊」付きの電話番号情報が送られてくると、システムフォン２０はその電話機３０を公衆電話回線網５０に切替え接続して直接一般電話を行えるようにする（ステップＳ２１００、Ｓ２１１０）。
【００５２】
また、ゲートキーパ１０は適切な時間間隔、例えば１００秒毎に自己が管理しているシステムフォン２０に対して現在の状況（ステータス）、例えば電源ＯＮの有無、電話番号の変更、システムフォン２０の異常の有無、停電の有無、通話中か否か、電話番号の変更等を問い合わせ（ステップＳ１００）、システムフォン２０からの現在の状況をステータス情報として登録した接続情報を更新する（ステップＳ１００）。
【００５３】
図６は第２の実施形態を示し、図において図１ないし図５と同一符号は同一又は相当部分を示す。本例のＶｏＩＰ電話システムでは携帯電話（ＰＨＳ電話を含む）３１と電話機３０との間、及び携帯電話３１同士の間でインターネット４０を介し、及び公衆電話回線網５０や携帯電話回線網５１を介して通話を確立できるようにしている。
【００５４】
即ち、携帯電話回線網５１の各アクセスポイント５２にシステムフォン２０を設け、ゲートキーパ１０には登録された携帯電話３１のインターネット上のグローバルＩＰアドレス及びローカルＩＰアドレス、接続情報を携帯電話回線網（ＰＨＳ電話回線網を含む）における携帯電話番号情報（ＰＨＳ電話番号情報を含む）に対応して登録し、上記接続情報には携帯電話３１が接続されるシステムフォン２０の機器アドレス（ＭＡＣアドレス）及びステータス情報を含ませる。
【００５５】
このように構成すると、国内及び国外を問わず、電話機３０と携帯電話（ＰＨＳ電話を含む）３１との間及び携帯電話３１同士の間でインターネット４０、４１を介して通話を行うことができ、又上述の説明から明らかなように、電話機３０と携帯電話３１との間及び携帯電話３１同士の間で携帯電話網５１を介して通常一般の接続を確立して通話を行うことができる。
【００５６】
但し、携帯電話３１や国によっては通常の電話機３０や日本の場合と料金体系が異なることがあるので、料金体系及び通話時間に応じて通話料金を計算する料金計算装置５３をゲートキーパ１０に接続し、ユーザに通知できるようにしている。
【００５７】
また、図中、５２はＩＰパケットデータを相手方の国の公衆回線網５０で扱えるデータ形式に変換するトランキングゲートウェイである。
【００５８】
また、図７は第３の実施形態を示す。本例では携帯型パーソナルコンピュータ（いわのるノートパソコン）６４やデスクトップ型のパーソナルコンピュータ６０にシステムフォン２０及び電話機３２又は電話機として機能するスピーカ及びマイク３３を設け、電話機３２、３３と一般の電話機３０との間でインターネット４０を介して通話を確立できるようにしている。
【００５９】
但し、本例では電話機３２、３３は公衆回線網５０に直接接続されていないので、一般の電話機３０から電話機３２、３３への着信はできない。
【図面の簡単な説明】
【図１】本発明に係るＶｏＩＰ電話システムの好ましい実施形態における概略構成を示す図である。
【図２】上記実施形態におけるゲートキーパの基本的な構成を示す図である。
【図３】上記実施形態におけるシステムフォンの基本的な構成を示す図である。
【図４】上記実施形態における制御処理を示す機能ブロック図である。
【図５】上記実施形態における制御処理の概念を示すフローチャート図である。
【図６】第２の実施形態における概略構成を示す図である。
【図７】第３の実施形態における概略構成を示す図である。
【符号の説明】
１０　　　　ゲートキーパ（システムサーバ）
２０　　　　システムフォン（通話制御装置）
３０、３１、３２　　　電話機
４０　　　　インターネット
５０　　　　公衆電話回線網
５１　　　　携帯電話網
１００　　　接続情報登録手段
１１０　　　登録判別手段
１２０　　　応答手段
１３０　　　ステータス更新手段
２００　　　登録判別手段
２１０　　　通話制御手段
【図１】
2004056775.tif 000003
【図２】
2004056775.tif 000004
【図３】
2004056775.tif 000005
【図４】
2004056775.tif 000006
【図５】
2004056775.tif 000007
【図６】
2004056775.tif 000008
【図７】
2004056775.tif 000009